(57)【要約】【課題】表示中の医用画像データと同一検査で撮影された別撮影条件の医用画像データを自動的に表示可能とする。【解決手段】医用画像表示システム１００では、表示部３５に表示中の医用画像データとは別の撮影条件で表示する範囲が指定され、更に、当該医用画像データの撮影条件とは異なる、同一検査の別の撮影条件が選択されると、その選択された別の撮影条件の医用画像データをデータベースから検索する。そして、検索により得られた別の撮影条件の医用画像データの中から、指定された表示範囲と略同位置の範囲の画像データを取得し、その取得された画像データを、表示中の画面上に表示させる。【選択図】図２
2006304840.tif 000002
【特許請求の範囲】
【請求項１】
医用画像データを表示する表示手段と、
複数の撮影条件でそれぞれ撮影して得られる医用画像データを記憶する記憶手段と、
前記表示手段に表示中の医用画像データの撮影条件とは異なる、同一検査の別の撮影条件を選択する選択手段と、
前記選択手段により選択された別の撮影条件の医用画像データを前記記憶手段から検索する検索手段と、
前記検索手段により得られた別の撮影条件の医用画像データを、前記表示手段に表示中の画面上に表示させる制御手段と、
を備えることを特徴とする医用画像表示システム。
【請求項２】
前記表示手段に表示された医用画像データの表示範囲の中から、前記別の撮影条件で表示する範囲を指定する範囲指定手段と、
前記検索手段により得られた医用画像データの表示範囲の中から、前記範囲指定手段により指定された範囲と略同一位置の範囲の画像データを取得する画像取得手段と、を備え、
前記制御手段は、前記画像取得手段により取得された範囲の画像データを、前記表示手段に表示中の画面上に表示させることを特徴とする請求項１に記載の医用画像表示システム。
【請求項３】
前記画像取得手段により取得された画像データを表示する際の拡大率を指定する拡大率指定手段を備え、
前記制御手段は、前記拡大率指定手段により指定された拡大率で前記取得された画像データを表示させることを特徴とする請求項２に記載の医用画像表示システム。
【請求項４】
前記複数の撮影条件でそれぞれ撮影して得られる医用画像データには、撮影条件を示す情報が付帯され、
前記記憶手段に記憶された各医用画像データに付帯された撮影条件を取得する撮影条件取得手段を備え、
前記検索手段は、前記撮影条件取得手段により取得された撮影条件に基づいて、前記選択された別の撮影条件の医用画像データを検索することを特徴とする請求項１〜３の何れか一項に記載の医用画像表示システム。
【請求項５】
前記検索手段により得られた医用画像データの方向が、前記表示手段に表示中の医用画像データの方向と略同一であるか否かを判定する方向判定手段を備え、
前記制御手段は、前記方向判定手段により、前記表示中の医用画像データの方向と略同一であると判定された医用画像データを表示させることを特徴とする請求項１〜４の何れか一項に記載の医用画像表示システム。
【請求項６】
前記複数の撮影条件でそれぞれ撮影して得られる医用画像データには、撮影時の画像方向を示す情報が付帯され、
前記検索手段により得られた医用画像データに付帯された画像方向を示す情報を取得する方向取得手段を備え、
前記方向判定手段は、前記方向取得手段により取得された画像方向に基づいて判定処理を行うことを特徴とする請求項５に記載の医用画像表示システム。
【請求項７】
前記複数の撮影条件でそれぞれ撮影して得られる医用画像データには、撮影時の３次元位置を示す情報が付帯され、
前記検索手段により得られた医用画像データに付帯された３次元位置の情報を取得する位置取得手段と、
前記検索手段により得られた医用画像データの中から、前記位置取得手段により取得された３次元位置が前記表示手段に表示中の医用画像データの３次元位置に最も近い医用画像データを抽出する抽出手段と、を備え、
前記制御手段は、前記抽出手段により抽出された医用画像データを表示させることを特徴とする請求項１〜６の何れか一項に記載の医用画像表示システム。
【発明の詳細な説明】
【技術分野】
【０００１】
本発明は、患者を撮影した医用画像を表示するための医用画像表示システムに関する。
【背景技術】
【０００２】
ＭＲＩ（Magnetic Resonance Imaging）装置で患者の特定の部位（患部）を撮影する場合、患部の大きさ、形状を判定したり、良性の腫瘍であるか悪性の腫瘍であるかを判定するために、様々な撮影条件で撮影することが多い。様々な撮影条件で撮影された医用画像を読影する際には、これらの医用画像をＬＣＤ（Liquid Crystal Display）等の表示装置に表示することによって各撮影条件の画像が比較され、患部の判定が行われる。特許文献１には、読影用の参照画像を得るために、ＣＡＤ（Computer-Aided Design）機能を利用することによって患部の判定を行う技術が開示されている。
【特許文献１】特許第３１９２８３４号公報
【発明の開示】
【発明が解決しようとする課題】
【０００３】
しかしながら、医用画像を表示する従来の表示装置では、様々な撮影条件の画像を、限られた表示スペースのモニタに表示するために、ユーザ（読影医）による操作部の操作によって、表示する画像を切り替えて、同一位置で別の撮影条件の画像を探す必要があったため、ユーザの負担が大きいとともに、読影時の作業効率が悪いという問題があった。
【０００４】
本発明の課題は、表示中の医用画像データと同一検査で撮影された別撮影条件の医用画像データを自動的に表示可能とすることである。
【課題を解決するための手段】
【０００５】
上記課題を解決するため、請求項１に記載の発明は、医用画像データを表示する表示手段と、複数の撮影条件でそれぞれ撮影して得られる医用画像データを記憶する記憶手段と、前記表示手段に表示中の医用画像データの撮影条件とは異なる、同一検査の別の撮影条件を選択する選択手段と、前記選択手段により選択された別の撮影条件の医用画像データを前記記憶手段から検索する検索手段と、前記検索手段により得られた別の撮影条件の医用画像データを、前記表示手段に表示中の画面上に表示させる制御手段と、を備えることを特徴としている。
【０００６】
請求項２に記載の発明は、請求項１に記載の医用画像表示システムにおいて、前記表示手段に表示された医用画像データの表示範囲の中から、前記別の撮影条件で表示する範囲を指定する範囲指定手段と、前記検索手段により得られた医用画像データの表示範囲の中から、前記範囲指定手段により指定された範囲と略同一位置の範囲の画像データを取得する画像取得手段と、を備え、前記制御手段は、前記画像取得手段により取得された範囲の画像データを、前記表示手段に表示中の画面上に表示させることを特徴としている。
【０００７】
請求項３に記載の発明は、請求項２に記載の医用画像表示システムにおいて、前記画像取得手段により取得された画像データを表示する際の拡大率を指定する拡大率指定手段を備え、前記制御手段は、前記拡大率指定手段により指定された拡大率で前記取得された画像データを表示させることを特徴としている。
【０００８】
請求項４に記載の発明は、請求項１〜３の何れか一項に記載の医用画像表示システムにおいて、前記複数の撮影条件でそれぞれ撮影して得られる医用画像データには、撮影条件を示す情報が付帯され、前記記憶手段に記憶された各医用画像データに付帯された撮影条件を取得する撮影条件取得手段を備え、前記検索手段は、前記撮影条件取得手段により取得された撮影条件に基づいて、前記選択された別の撮影条件の医用画像データを検索することを特徴としている。
【０００９】
請求項５に記載の発明は、請求項１〜４の何れか一項に記載の医用画像表示システムにおいて、前記検索手段により得られた医用画像データの方向が、前記表示手段に表示中の医用画像データの方向と略同一であるか否かを判定する方向判定手段を備え、前記制御手段は、前記方向判定手段により、前記表示中の医用画像データの方向と略同一であると判定された医用画像データを表示させることを特徴としている。
【００１０】
請求項６に記載の発明は、請求項５に記載の医用画像表示システムにおいて、前記複数の撮影条件でそれぞれ撮影して得られる医用画像データには、撮影時の画像方向を示す情報が付帯され、前記検索手段により得られた医用画像データに付帯された画像方向を示す情報を取得する方向取得手段を備え、前記方向判定手段は、前記方向取得手段により取得された画像方向に基づいて判定処理を行うことを特徴としている。
【００１１】
請求項７に記載の発明は、請求項１〜６の何れか一項に記載の医用画像表示システムにおいて、前記複数の撮影条件でそれぞれ撮影して得られる医用画像データには、撮影時の３次元位置を示す情報が付帯され、前記検索手段により得られた医用画像データに付帯された３次元位置の情報を取得する位置取得手段と、前記検索手段により得られた医用画像データの中から、前記位置取得手段により取得された３次元位置が前記表示手段に表示中の医用画像データの３次元位置に最も近い医用画像データを抽出する抽出手段と、を備え、前記制御手段は、前記抽出手段により抽出された医用画像データを表示させることを特徴としている。
【発明の効果】
【００１２】
本発明によれば、様々な撮影条件の医用画像データを見比べる場合、表示中の医用画像データと同一検査で撮影条件が異なる医用画像データを自動的に検索して表示可能にしたことにより、読影作業を効率化させることができる。
【発明を実施するための最良の形態】
【００１３】
以下、図面を参照して、本発明の実施形態について詳細に説明する。
まず、本実施形態における構成について説明する。
【００１４】
図１に、本実施形態における医用画像表示システム１００の構成を示す。医用画像表示システム１００は、図１に示すように、モダリティ１、管理装置２、医用画像表示装置３により構成され、これらは互いに通信ネットワークＮを介して接続されている。通信ネットワークＮは、病院等の建物内又は病院間に構築されたＬＡＮ（Local Area Network）、ＷＡＮ（Wide Area Network）等の情報通信網である。
【００１５】
モダリティ１は、患者を撮影して医用画像のデータ（以下、医用画像データと呼ぶ。）を生成する撮影装置であり、ＭＲＩ（Magnetic Resonance Imaging）装置等により構成される。モダリティ１を構成する各撮影装置は、ＤＩＣＯＭ（Digital Imaging and Communications in Medicine）規格に準拠しており、デジタル化した医用画像データを生成する。
【００１６】
管理装置２は、モダリティ１から入力される各種撮影条件の医用画像データ及びその付帯情報をデータベース化して保存（記憶）し、医用画像表示装置３からの要求に応じて、医用画像データ及びその付帯情報を医用画像表示装置３に転送する。この付帯情報には、撮影時の撮影条件を示す情報、画像方向、３次元位置等が設定されている。図５に、ＭＲＩ装置における撮影条件の例を示す。また、画像方向としては、例えば、モダリティ１側で算出された方向余弦のベクトル値が設定され、３次元位置としては、２次元の医用画像データの左上画素の３次元座標上における位置を示す情報が設定される。
【００１７】
図２に、医用画像表示装置３の構成を示す。医用画像表示装置３は、診察室等に設置される表示装置であり、図２に示すように、制御部３１、操作部３２、記憶部３３、Ｉ／Ｆ部３４、表示部３５等を備え、各部はバス３６を介して互いに接続されている。
【００１８】
制御部３１は、ＣＰＵ（Central Processing Unit）、ＲＡＭ（Random Access Memory）、ＲＯＭ（Read Only Memory）等を備え、医用画像表示プログラム等の各種プログラムに従って、コンピュータ制御により、医用画像表示装置３の各部を制御し、医用画像データを表示部３５に表示するための画像表示処理を実行する。この画像表示処理において、制御部３１は、表示部３５に表示中の医用画像データとは撮影条件が異なる、同一検査の別の撮影条件が選択された場合、その別の撮影条件の医用画像データを、表示中の画面上に表示する処理を実行する。制御部３１で実行される画像表示処理については、後に図３を参照して詳細に説明する。
【００１９】
操作部３２は、数字キー、文字キー、各種機能キー等から構成されるキーボードや、マウス等のポインティングデバイスを有し、キー操作やマウス操作の操作信号を制御部３１に出力する。
【００２０】
記憶部３３は、ＨＤＤ（Hard Disc Drive）、光ディスク等の磁気的或いは光学的な記録媒体や半導体メモリ等を固定的又は着脱自在に備え、画像表示処理に必要な各種データを記憶する。
【００２１】
Ｉ／Ｆ３４は、通信ネットワークＮを介して、モダリティ１や管理装置２と通信接続するためのインターフェースである。
【００２２】
表示部３５は、ＣＲＴ（Cathode Ray Tube）、ＬＣＤ（Liquid Crystal Display）等の表示装置から構成され、制御部３１から入力される表示制御信号に従って表示処理を行う。
【００２３】
なお、図１では、管理装置２と医用画像表示装置３が通信ネットワークＮを介して接続されている場合を示しているが、医用画像表示装置３側に、モダリティ１から入力される医用画像データ及びその付帯情報を保存（記憶）するデータベースを設けるようにして、管理装置２と医用画像表示装置３を一体化したスタンドアロン型としてもよい。このようなシステム構成にすると、医用画像表示装置３は、通信ネットワークＮを介さずに、データベースに保存された医用画像データを取得して表示することができる。
【００２４】
次に、本実施形態における動作について説明する。
本実施形態における動作として、図３のフローチャートを参照して、医用画像表示装置３において実行される画像表示処理について説明する。図３のフローチャートでは、簡単のため、管理装置２と医用画像表示装置３が一体化されたスタンドアロン型の医用画像表示装置３の動作について説明するが、両装置が各々別体である場合にも以下の動作は適用される。
【００２５】
表示部３５に、特定の撮影条件の医用画像データが表示されているものとする。このとき、操作部３２の操作（例えば、マウスのクリック操作）により、図４に示すように、当該表示中の医用画像データと同一検査で別の撮影条件で表示する範囲（図４の矩形領域α）が指定される（ステップＳ１）。次いで、ステップＳ１で指定された範囲で表示する画像の撮影条件（図５参照）が選択される（ステップＳ２）。ステップＳ２における撮影条件の選択は、操作部３２の操作によって行ってもよいし、システム側で自動的に行うようにしてもよい。
【００２６】
次いで、医用画像データ及びその付帯情報を保存するデータベースから、表示中の医用画像データと同一検査で、ステップＳ２で選択された撮影条件の医用画像データが検索され、該当する医用画像データが存在するか否かが判定される（ステップＳ３）。ステップＳ３では、データベースに保存された医用画像データの付帯情報から、撮影条件を示す情報が取得され、その取得された撮影条件が、ステップＳ２で選択された撮影条件と等しい医用画像データが検索される。
【００２７】
ＤＩＣＯＭ規格の付帯情報から撮影条件を判定する方法は大きく分けて２つある。付帯情報に含まれる識別情報（文字列）から判定する方法と、付帯情報に含まれるスキャニングシーケンス、反復時間（ＴＲ）、エコー時間（ＴＥ）、反転時間（ＴＩ）から判定する方法である。前者の判定方法では、例えば、撮影条件ＡにはＸＸＸＡ、撮影条件ＢにはＸＸＸＢ等というように、予め撮影条件毎に文字列を決めておき、モダリティ１から医用画像データが送信される際に、対応する撮影条件の文字列が付帯情報の一部として設定される。図６に、後者の判定方法を撮影条件別に示す。例えば、スキャニングシーケンスがＳＥ（Spin Echo）、反復時間（ＴＲ）が６００ｍ以下、エコー時間（ＴＥ）が３０ｍｓ以下であれば、撮影条件は「Ｔ１強調画像」と判定される。
【００２８】
ステップＳ３において、ステップＳ２で選択された撮影条件と同一の撮影条件の医用画像データが存在しないと判定された場合（ステップＳ３；ＮＯ）、本画像表示処理が終了する。
【００２９】
ステップＳ３において、ステップＳ２で選択された撮影条件と同一の撮影条件の医用画像データが存在すると判定された場合（ステップＳ３；ＹＥＳ）、当該選択された撮影条件の医用画像データの画像方向が、表示中の医用画像データの画像方向と略同一であるか否かが判定される（ステップＳ４）。ステップＳ４では、データベースの検索により得られた医用画像データの付帯情報から、画像方向として設定された方向余弦のベクトル値が取得され、その取得されたベクトル値と、表示中の医用画像データの方向余弦のベクトル値の内積が計算され、内積の値が１に近ければ（例えば、内積の値が０．９以上１以下）略同一方向とみなされる。
【００３０】
ステップＳ４において、検索により得られた医用画像データの画像方向が、表示中の医用画像データの画像方向と略同一でないと判定された場合（ステップＳ４；ＮＯ）、画像方向が略同一の医用画像データが見つかるまでステップＳ３及びＳ４の処理が繰り返される。
【００３１】
ステップＳ４において、検索により得られた医用画像データの画像方向が、表示中の医用画像データの画像方向と略同一であると判定された場合（ステップＳ４；ＹＥＳ）、画像方向が略同一と判定された医用画像データの各々について、付帯情報に含まれる３次元位置を示す情報が取得され、その取得された３次元位置と、表示中の医用画像データの３次元位置が比較される。そして、ステップＳ４で画像方向が略同一と判定された医用画像データの中から、３次元位置が、表示中の医用画像データの３次元位置に最も近い医用画像データが抽出される（ステップＳ５）。
【００３２】
次いで、ステップＳ５で抽出された医用画像データから、ステップＳ１で指定された範囲と略同一位置の範囲にある画像データが取得される（切出される）（ステップＳ６）。次いで、操作部３２の操作により、ステップＳ６で取得された画像データの拡大率が指定される（ステップＳ７）。
【００３３】
次いで、ステップＳ６で取得された画像データが、ステップＳ７で指定された拡大率で、表示中の画面上の予め設定された位置に表示され（ステップＳ８）、本画像表示処理が終了する。図７に、ステップＳ８での表示例を示す。図７では、右側の小さい矩形領域の画像が、別の撮影条件で左側に拡大して表示された例を示している。別の撮影条件の画像の表示位置は、特に限定されず、ユーザにより任意に設定可能である。
【００３４】
なお、図１に示すように、管理装置２と医用画像表示装置３が通信ネットワークＮを介して接続されている場合、図３のステップＳ２〜Ｓ７の処理は、管理装置２、医用画像表示装置３のどちらで実行されてもよい。
【００３５】
以上のように、本実施形態の医用画像表示システム１００によれば、様々な撮影条件の医用画像データを見比べる場合、表示中の医用画像データと同一検査で撮影条件が異なる医用画像データを自動的に検索して表示可能にしたことにより、従来のように、ユーザがわざわざ該当する画像を探す必要がなく、読影作業を効率化させることができる。
【図面の簡単な説明】
【００３６】
【図１】本発明の実施形態における医用画像表示システムの構成を示す図。
【図２】本発明の実施形態における医用画像表示装置の構成を示すブロック図。
【図３】医用画像表示装置において実行される画像表示処理を示すフローチャート。
【図４】医用画像表示装置の表示部に表示される医用画像の一例を示す図。
【図５】撮影条件の例を示す図。
【図６】撮影条件の判定方法を示す図。
【図７】医用画像表示装置の表示部に表示される医用画像の一例を示す図。
【符号の説明】
【００３７】
１  モダリティ（撮影装置）
２  管理装置
３  医用画像表示装置
３１  制御部
３２  操作部
３３  記憶部
３４  Ｉ／Ｆ部
３５  表示部
１００  医用画像表示システム
【図１】
2006304840.tif 000003
【図２】
2006304840.tif 000004
【図３】
2006304840.tif 000005
【図４】
2006304840.tif 000006
【図５】
2006304840.tif 000007
【図６】
2006304840.tif 000008
【図７】
2006304840.tif 000009